(57)【要約】【課題】メールにコンテンツ情報を添付して送信する際に、送信先のメールアドレスを容易に検索することを可能にする。【解決手段】携帯端末装置１０は、送信メールに添付された画像やブラウザを含むコンテンツ情報に当該送信アドレスを対応させて記憶する記憶部２０と、送信メールへのコンテンツ情報の添付時に、記憶部２０から当該添付のコンテンツ情報に対応付けられたメールアドレスを画面表示する制御を行う表示制御部２４とを備えて構成した。【選択図】図２
2013205988.tif 000002
【特許請求の範囲】
【請求項１】
送信メールに添付された画像及びブラウザの少なくとも一方を含むコンテンツ情報に当該送信アドレスを対応させて記憶する記憶部と、
前記送信メールへのコンテンツ情報の添付時に、前記記憶部から当該添付のコンテンツ情報に対応付けられたメールアドレスを画面表示する制御を行う表示制御部と
を備えることを特徴とする携帯端末装置。
【請求項２】
前記コンテンツ情報は、拡張子、ウェブアドレスの何れか一方であることを特徴とする請求項１記載の携帯端末装置。
【請求項３】
前記送信メールに複数のコンテンツ情報が添付された際に、当該複数のコンテンツ情報に同一メールアドレスが対応付けられている場合、当該同一メールアドレスを１つと判断する判断部を更に備え、
前記表示制御部は、前記判断部で判断されたメールアドレスを１つとして表示する制御を行うことを特徴とする請求項１又は２記載の携帯端末装置。
【請求項４】
送信メールに添付された画像及びブラウザの少なくとも一方を含むコンテンツ情報に当該送信アドレスを対応させて記憶するステップと、
前記送信メールへのコンテンツ情報の添付時に、前記記憶のステップにおいて、当該添付のコンテンツ情報に対応付けられたメールアドレスを画面表示するステップと
を有することを特徴とする携帯電話機の送信先候補表示方法。
【発明の詳細な説明】
【技術分野】
【０００１】
本発明は、メール送信時に送信先アドレスを少ない操作回数で表示する、携帯端末装置及び携帯電話機の送信先候補表示方法に関する。
【背景技術】
【０００２】
従来、携帯端末装置において、メール送信時に送信先アドレスを表示する技術として特許文献１に記載のシステムがある。このシステムは、メールサーバが、電子メールを利用者Ｘ宛に送信する場合に、過去に受信したメールのうち、利用者Ａが送信元になっているメールの添付ファイルを検索し、添付ファイルが検索されると、これから送信しようとする電子メールの添付ファイルの中に、検索されたファイルと同一のものがあるか否かを判断する。同一のものがあると判断すると、送信しようとする電子メールから、同一と判断された添付ファイルを削除した後、利用者Ｘ宛てに送信する。また、過去の電子メールの送信元を含む履歴情報を記憶している履歴情報記憶手段を有し、判断手段は、その履歴情報から過去の電子メールの送信元を取得するようになっている。
【０００３】
このような構成により、宛先によっては不要と思われる添付ファイルを削除してから送信するので、添付ファイルを一律に送信する従来構成に比べ、メールサーバの使用効率化の向上とネットワークの通信トラフィックの抑制を図ることができるようになっている。また、容易に過去の電子メールの送信元を取得することが可能となっている。
【先行技術文献】
【特許文献】
【０００４】
【特許文献１】特開２００７−２１３３３８号公報
【発明の概要】
【発明が解決しようとする課題】
【０００５】
しかしながら、特許文献１に開示された技術によれば、送信元のメールアドレスを取得することは可能であるが、携帯端末装置において送信元である相手からメールを受信していない限りは、そのメールアドレス未受信の相手のメールアドレスを取得することは不可能であるといった問題が発生する。
【０００６】
また、画像やブラウザを含むコンテンツ情報をメールに添付して送信する際に、この送信先へメールを送信した実績があれば、携帯端末装置が保持する送信履歴を表示してメールアドレスを検索する方法があるが、メールアドレス数が多いと、目的のメールアドレスの検索に時間が掛かるという問題がある。
【０００７】
本発明は上記した課題を解決するためになされたものであり、メールにコンテンツ情報を添付して送信する際に、送信先のメールアドレスを容易に検索することができる、携帯端末装置及び携帯電話機の送信先候補表示方法を提供することを目的とする。
【課題を解決するための手段】
【０００８】
上記した課題を解決するために本発明は、送信メールに添付された画像及びブラウザの少なくとも一方を含むコンテンツ情報に当該送信アドレスを対応させて記憶する記憶部と、前記送信メールへのコンテンツ情報の添付時に、前記記憶部から当該添付のコンテンツ情報に対応付けられたメールアドレスを画面表示する制御を行う表示制御部とを備えることを特徴とする。
【０００９】
本発明において、前記コンテンツ情報は、拡張子、ウェブアドレスの何れか一方であることを特徴とする。
【００１０】
本発明において、前記送信メールに複数のコンテンツ情報が添付された際に、当該複数のコンテンツ情報に同一メールアドレスが対応付けられている場合、当該同一メールアドレスを１つと判断する判断部を更に備え、前記表示制御部は、前記判断部で判断されたメールアドレスを１つとして表示する制御を行うことを特徴とする。
【００１１】
また、本発明は、送信メールに添付された画像及びブラウザの少なくとも一方を含むコンテンツ情報に当該送信アドレスを対応させて記憶するステップと、前記送信メールへのコンテンツ情報の添付時に、前記記憶のステップにおいて、当該添付のコンテンツ情報に対応付けられたメールアドレスを画面表示するステップとを有することを特徴とする。
【発明の効果】
【００１２】
本発明によれば、メールにコンテンツ情報を添付して送信する際に、送信先のメールアドレスを容易に検索することができる携帯端末装置及び携帯電話機の送信先候補表示方法を提供することができる。
【図面の簡単な説明】
【００１３】
【図１】本発明の実施形態に係る携帯端末装置の構成を示すブロック図である。
【図２】添付コンテンツ情報にメールアドレスを対応付ける様態を表す図である。
【図３】本実施形態の携帯端末装置において送信先メールアドレスの候補を表示する際の動作を説明するためのフローチャートである。
【図４】本実施形態の携帯端末装置における送信メールへの添付コンテンツ情報と、添付コンテンツ情報に対応付けられるメールアドレス等の表示態様を示す図である。
【図５】送信メールに２つのコンテンツ情報がされる際の表示態様を示す図である。
【発明を実施するための形態】
【００１４】
以下、添付図面を参照して本発明を実施するための実施の形態（以下、単に本実施形態という）について詳細に説明する。
（実施形態の構成）
図１は、本実施形態に係る携帯端末装置１０の構成を示すブロック図である。本実施形態に係る携帯端末装置１０は、外部に、文字や画像等を表示するディスプレイ１１と、この下方に０〜９，♯，＊等のキー操作部１２と、マイク１３と、発光部１４と、撮影部１５とを備え、内部に、スピーカ１６と、信号処理部１７と、アンテナ１８ａが接続された無線部１８と、振動部１９と、制御部２１と、充電用の電池２２ａが内蔵される電源部２２と、更に、本実施形態の特徴要素である記憶部２０と、制御部２１に設けられた表示制御部２４及び同一アドレス判断部（判断部）２５とを備えて構成されている。なお、表示制御部２４及び同一アドレス判断部２５は、制御部２１の外部に設けても良い。
【００１５】
ディスプレイ１１は、カラー表示を行うバックライト方式の液晶ディスプレイであり、液晶パネルと当該液晶パネルに光を照射するためにバックライトを備える。このディスプレイ１１は制御部２１から入力された制御信号に基づき文字、図形、記号、画像などの各種情報を表示する。また、ディスプレイ１１は、液晶ディスプレイ以外に限らず、例えば、有機ＥＬディスプレイや、複数のＬＥＤ(Light Emitting Diode)がマトリックス上に配列されたディスプレイであってもよい。この他、ディスプレイ１１は、図示せぬタッチパネル入力手段を備え、このタッチパネル入力手段におけるユーザの画面操作に応じた入力信号を制御部２１へ出力するようにしてもよい。
【００１６】
キー操作部１２は、ユーザの入力操作に応じた入力信号を制御部２１へ出力する。その
入力操作は、例えば、メールアドレスの入力、着信や発信時の入力、音量の調整入力、ディスプレイ１１の輝度調整の入力、電源オン／オフの切替入力、ディスプレイ１１の表示画面の切替入力、更には、アラーム報知時刻に所望のスケジュール内容を対応付けたアラーム設定情報の入力等である。
【００１７】
スピーカ１６は、制御部２１の音声出力処理に応じて信号処理部１７から出力されるアナログ信号に基づき外部に音を出力する。制御部２１から信号処理部１７へはデジタル信号入力であるが、このデジタル信号が信号処理部１７でアナログ信号にデジタル／アナログ変換され、アナログ信号としてスピーカ１６へ出力されるようになっている。
【００１８】
マイク１３は、外部からの音声をアナログ信号に変換して信号処理部１７を介して制御部２１へ出力する。そのアナログ信号は、信号処理部１７でアナログ／デジタル変換され、このデジタル信号が制御部２１へ出力されるようになっている。
【００１９】
発光部１４は、ＬＥＤなどの発光素子により構成されており、制御部２１から出力された制御信号によって外部へ光を照射する。この発光部１４は、電話の着信、メールの受信、アラーム日時到来などを、外部へ光を照射することにより報知する。
【００２０】
撮影部１５は、キー操作部１２からの入力操作に応じて動画や静止画を撮影する。この撮影された動画や静止画は、制御部２１を介して記憶部２０に記憶される。
【００２１】
無線部１８は、アンテナ１８ａの電波の送受信動作に応じて他携帯端末装置や基地局と無線通信を行う。この際、無線部１８は、アンテナ１８ａで受信される所定の高周波信号に対して復調及び復号処理を行いデジタル音声信号へと変換する。また、制御部２１から入力されたデジタル音声信号に符号化及び変調処理を行い高周波信号に変換してアンテナ１８ａから送信する。また、無線部１８は、他の携帯端末装置等とアンテナ１８ａを介してメールの送受信動作を行う。
【００２２】
振動部１９は、図示せぬモータを備えて構成され、制御部２１から出力された制御信号によって機械的振動を発生する。例えば、電話の着信、メールの受信、アラーム日時到来などを機械的振動によって報知する。
【００２３】
制御部２１は、ＣＰＵ(Central Processing Unit)及びＤＳＰ(Digital Signal Processor)などで構成され、携帯端末装置１０に備えられた各構成要素を制御することにより携
帯端末装置１０を統括的に管理して、各種機能を実行する。例えば、制御部２１は、キー操作部１２の入力操作に基づき、携帯端末装置１０に備えられたメール機能、電話機能、アラーム報知機能などを実行したり、記憶部２０に入力情報を記憶したり、記憶部２０に記憶されたプログラムを実行したりする。
【００２４】
電源部２２は、リチウムイオン電池などの充放電可能な電池によって構成され、携帯端末装置１０に電力を供給する。
【００２５】
記憶部２０は、携帯端末装置１０の各種機能を制御するプログラムや、発着信対象となる複数のユーザの電話番号及びメールアドレスを記憶する。更に、メールで送信された画像やブラウザを含むコンテンツ情報の拡張子に、送信先のメールアドレスを対応付けて記憶する。
【００２６】
これは、例えば図２（ｄ）に示す添付コンテンツ情報「ＵＲＬ」、「画像」の拡張子に（ｂ）に示すメールアドレスｄｄｄ＠ｘｘｘ．ｃｏｍ〜ｉｉｉ＠ｘｘｘ．ｃｏｍを対応付ける。この際、添付コンテンツ情報の（ｃ）に示す起動元アプリケーションソフト「Ｂｒ
ｏｗｓｅｒ」、「Ａｉｂｕｍ」、「Ｖｏｉｃｅ  Ｍｅｍｏ」、「Ｃａｍｅｒａ」を更に対応付けてもよい。更には、その対応付けられて記憶された（ａ）に示す年月日・時間も対応付けてもよく、この際に、記憶の新しい順（又は古い順）に配列されるようにしてもよい。
【００２７】
同一アドレス判断部２５は、送信メールに複数のコンテンツ情報Ａ，Ｂが添付される際に、記憶部２０に記憶された各コンテンツ情報Ａ，Ｂの拡張子に対応付けられたメールアドレスの中に、同一のアドレスがあるか否かを判断する。
【００２８】
表示制御部２４は、送信メールへのコンテンツ情報の添付時に、記憶部２０においてその添付コンテンツ情報の拡張子にメールアドレスが対応付けられていれば、記憶部２０から添付コンテンツ情報の拡張子に対応付けられたメールアドレスを選択してディスプレイ１１に表示する制御を行う。更に、同一アドレス判断部２５で同一のメールアドレスがあると判断された際に、その同一メールアドレスを１つとして表示する制御を行う。
（実施形態の動作）
以下、図１に示す第１実施形態に係る携帯端末装置１０において送信先メールアドレスの候補を表示する際の動作を、図３のフローチャートを参照して詳細に説明する。
【００２９】
まず、携帯端末装置１０でのメール送信時に、ディスプレイ１１に表示された図４（ａ）に示すコンテンツ情報としての画像Ａをメールに添付する（ステップＳ１）。これは、画像Ａの拡張子Ａ.ｊｐｇを、図４（ｂ）に示すように、メール作成画面のＡｔｔａｃｈ
ｍｅｎｔ：の欄に添付する。また、コンテンツ情報が図４（ｄ）に示すウェブページであれば、図４（ｅ）に示すように、メール作成画面の所定欄に、そのウェブアドレスｈｔｔｐ//：www.○○○○○○.ｃｏｍを添付する。
【００３０】
この添付時に、表示制御部２４により、記憶部２０の中に、その添付された画像Ａの拡張子Ａ.ｊｐｇ又は、ウェブアドレスｈｔｔｐ//：www.○○○○○○.ｃｏｍにメールアドレスが対応付けられているか否かが判断される（ステップＳ２）。
【００３１】
この結果、対応付けられていると判断された場合、同一アドレス判断部２５により、添付された画像Ａの拡張子Ａ.ｊｐｇ又は、ウェブアドレスｈｔｔｐ//：www.○○○○○○.ｃｏｍに、同一のメールアドレスがあるか否かが判断される（ステップＳ３）。
【００３２】
この結果、同一メールアドレスがないと判断された場合、図４（ｃ）又は（ｆ）に示すように、表示制御部２４の制御により、記憶部２０において画像の拡張子Ａ.ｊｐｇ、又
はウェブアドレスｈｔｔｐ//：www.○○○○○○.ｃｏｍに対応付けられている１乃至複
数のメールアドレスが、ディスプレイ１１に表示される（ステップＳ４）。この際、「直接入力する」、「送信履歴から選ぶ」、「受信履歴から選ぶ」といったメールアドレスの他の取得方法の内容も表示される。この取得方法は制御部２１の既存の機能によるものである。
【００３３】
これによってユーザは、ディスプレイ１１に表示された１乃至複数のメールアドレスの中から目的の送信先メールアドレスを選択して、メール送信を行うことができる。
【００３４】
一方、ステップＳ２において、メールアドレスが対応付けられていないと判断された場合、図２に示したように、記憶部２０に、添付された画像の拡張子Ａ.ｊｐｇ、又はウェ
ブアドレスｈｔｔｐ//：www.○○○○○○.ｃｏｍとしてのコンテンツ情報の拡張子にメ
ールアドレスが対応付けられて記憶される。この際、添付コンテンツ情報の起動元アプリケーションソフトや、その記憶の年月日・時間も対応付けられ、記憶の新しい順に配列される（ステップＳ５）。
【００３５】
この他、ステップＳ１において、図５（ａ）に示す画像Ａと、図５（ｂ）に示す画像Ｂとがメールに添付された場合に、ステップＳ３において、同一アドレス判断部２５により、添付された画像Ａの拡張子Ａ.ｊｐｇ及び画像Ｂの拡張子Ｂ.ｊｐｇに、同一のメールアドレスがあると判断されたとする。この場合、表示制御部２４により、その同一メールアドレスを１つとして表示する制御が行われる（ステップＳ６）。
（実施形態の効果）
以上説明のように第１実施形態に係る携帯端末装置１０は、送信メールに添付された画像やブラウザを含むコンテンツ情報に当該送信アドレスを対応させて記憶する記憶部２０と、送信メールへのコンテンツ情報の添付時に、記憶部２０から当該添付のコンテンツ情報に対応付けられたメールアドレスを画面表示する制御を行う表示制御部２４とを備えて構成されていることを特徴とする。
【００３６】
この構成によれば、送信メールにコンテンツ情報を添付して送信する際に、コンテンツ情報を添付すると自動的に添付コンテンツ情報に対応付けられた送信先のメールアドレスが表示される。このため、メールアドレス数を大幅に絞って表示することができるので、目的のメールアドレスの検索が容易となる。
【００３７】
また、コンテンツ情報は、拡張子、ウェブアドレスの何れか一方であることとした。これによって、添付されたコンテンツ情報を固有の情報として認識し、この添付コンテンツ情報にメールアドレスを対応付けることができる。
【００３８】
また、送信メールに複数のコンテンツ情報が添付された際に、当該複数のコンテンツ情報に同一メールアドレスが対応付けられている場合、当該同一メールアドレスを１つと判断する判断部としての同一アドレス判断部２５を更に備え、表示制御部２４は、同一アドレス判断部２５で判断されたメールアドレスを１つとして表示する制御を行うようにした。
【００３９】
これによって、例えば複数の添付コンテンツ情報に２つの同じメールアドレスが対応付けられていても、ディスプレイ１１への表示は１つのみとなるので、効率的な表示を行うことができる。従って、ユーザがメールアドレスを検索し易くなる。
【００４０】
これらの効果を奏する携帯端末装置１０は、次の送信先候補表示方法としても実現可能である。即ち、送信メールに添付された画像やブラウザを含むコンテンツ情報に当該送信アドレスを対応させて記憶するステップと、送信メールへのコンテンツ情報の添付時に、前期の記憶のステップにおいて、当該添付のコンテンツ情報に対応付けられたメールアドレスを画面表示するステップとを実行する方法が実現可能である。
【００４１】
以上、本発明の好ましい実施形態について詳述したが、本発明の技術的範囲予測は上記実施形態に記載の範囲予測には限定されないことは言うまでもない。上記実施形態に、多様な変更または改良を加えることが可能であることが当業者に明らかである。またその様な変更または改良を加えた形態も本発明の技術的範囲予測に含まれ得ることが、特許請求の範囲予測の記載から明らかである。
【符号の説明】
【００４２】
１０・・携帯端末装置、１１‥ディスプレイ、１２‥キー操作部、１３‥マイク、１４‥発光部、１５‥撮影部、１６‥スピーカ、１７‥信号処理部、１８ａ‥アンテナ、１８‥無線部、１９‥振動部、２０‥記憶部、２１‥制御部、２２‥電源部、２４‥表示制御部、２５‥同一アドレス判断部。
【図１】
2013205988.tif 000003
【図２】
2013205988.tif 000004
【図３】
2013205988.tif 000005
【図４】
2013205988.tif 000006
【図５】
2013205988.tif 000007